(57)【要約】      （修正有）【課題】排水ドレンが汚損しにくく清掃が容易な天井輻射システムを提供する。【解決手段】天井輻射システムは、複数の吸熱結露管１１０に冷水が流動されて結露することで周囲が熱輻射で冷却される。前後方向に細長形状で複数の吸熱結露管１１０の各々に下方から個々に対向している複数の排水ドレン１２０が結露した水滴を収集して排水する。ただし、このような排水ドレン１２０の各々の内部に抗菌フィルム１２１が敷設されているので、排水ドレン１２０の内部が汚損しにくく、抗菌フィルム１２１を交換するだけで排水ドレン１２０の清掃が完了する。【選択図】図１
2012072977.tif 000002
【特許請求の範囲】
【請求項１】
前後方向に細長形状で左右方向に配列されて天井面下に配置される多数の吸熱結露管に少なくとも冷水を流動させて熱輻射により少なくとも冷房を実行する天井輻射システムであって、
冷水が流動されて結露することで周囲を熱輻射で冷却する複数の吸熱結露管と、
前後方向に細長形状で複数の前記吸熱結露管の各々に下方から個々に対向していて結露した水滴を収集して排水する複数の排水ドレンと、
銀チタンが表面に塗布された樹脂フィルムからなり前記排水ドレンの各々の内部に着脱自在に敷設されている抗菌フィルムと、
を有する天井輻射システム。
【発明の詳細な説明】
【技術分野】
【０００１】
本発明は、前後方向に細長形状で左右方向に配列されて天井面下に配置される多数の吸熱結露管に少なくとも冷水を流動させて熱輻射により少なくとも冷房を実行する天井輻射システムに関する。
【背景技術】
【０００２】
現在、主流の冷房システムは、室内または室外から吸引した空気を冷却して室内に供給するが、これは室内の気温が熱輻射量と対応しないため、人体に不自然に感じられる。そこで、室内に配置した吸熱結露管に冷水を流動させることで、熱輻射により室内を冷房する冷房システムが開発された。
【０００３】
このような冷房システムとしては、吸熱結露管を壁状に配列させ、結露水を受ける排水ドレンを下方に配置した壁状輻射システムや、天井面の近傍に吸熱結露管を水平に配置した天井輻射システムがある。
【０００４】
しかし、壁状輻射システムは、室内に配置する必要があるので、室内のスペースを消費することになる。また、当然ながら壁状輻射システムとの距離により冷房の効き目が変化するので、室内を均一に冷房することが困難である。
【０００５】
一方、天井輻射システムでは、室内のスペースを消費することはなく、室内を略均一に冷房することが可能である。しかし、天井輻射システムでは、充分に冷却した冷水を吸熱結露管に流動させると、結露が発生して水滴が室内に落下することになる。
【０００６】
このため、ある天井輻射システムでは、冷水の温度を結露が発生しない範囲に制御しているが、これでは室内を充分に冷房することができない。また、ある天井輻射システムでは、複数の吸熱結露管の下方に一枚の受皿を配置し、この受皿で結露した水滴を受けているが、これでは複数の吸熱結露管による冷房効果が受皿で阻害されることになる。
【０００７】
そこで、本発明者は上述のような課題を解決した天井輻射システムを発明して出願した。その天井輻射システムは、複数の吸熱結露管、複数の冷却フィン、複数の排水ドレン、等を有する。
【０００８】
複数の吸熱結露管は、細長い形状に形成されており、天井面の下方に前後方向と長手方向が略平行で左右方向に所定間隔で並列に配列されている。複数の冷却フィンは、複数の吸熱結露管の各々の外面上の略左右方向の位置から下方に個々に形成されている。複数の排水ドレンは、吸熱結露管より幅広で上面が開口した細長い樋状に形成されていて吸熱結露管の下方に個々に略平行に配置されている。
【０００９】
この天井輻射システムでは、冷水が複数の吸熱結露管に流動されると、その吸熱結露管と冷却フィンとの熱輻射により室内が冷房される。複数の吸熱結露管の各々の両側に冷却フィンが装着されているので、吸熱結露管の熱輻射の性能を冷却フィンにより向上させることができる。
【００１０】
充分に冷却した冷水を流動させると吸熱結露管と冷却フィンとの表面に水滴が結露する。しかし、吸熱結露管と冷却フィンとの各々の下方に排水ドレンが位置しているので、吸熱結露管と冷却フィンとに結露した水滴を排水ドレンにより確実に回収することができる。
【００１１】
このため、吸熱結露管に充分に冷却した冷水を流動させて室内を充分に冷房することができる。しかも、吸熱結露管と冷却フィンとにより冷却された空気を排水ドレンの間隙から室内に循環させることができるので、室内を良好な効率で冷房することができる(特許文献１)。
【先行技術文献】
【特許文献】
【００１２】
【特許文献１】特開２００６−１１２７４２号公報
【発明の概要】
【発明が解決しようとする課題】
【００１３】
しかし、上述のような天井輻射システムは、結露した水滴を排水ドレンで排出するので、この排水ドレンが長期的に汚損することになる。また、排水ドレンに昆虫の死骸なども滞積することになる。
【００１４】
しかし、天井輻射システムは天井面下に設置されるので、その排水ドレンにアクセスすることは容易ではなく、上述のような排水ドレンの汚損を清掃することは困難である。
【００１５】
本発明は上述のような課題に鑑みてなされたものであり、排水ドレンが汚損しにくく清掃が容易な天井輻射システムを提供するものである。
【課題を解決するための手段】
【００１６】
本発明の天井輻射システムは、前後方向に細長形状で左右方向に配列されて天井面下に配置される多数の吸熱結露管に少なくとも冷水を流動させて熱輻射により少なくとも冷房を実行する天井輻射システムであって、冷水が流動されて結露することで周囲を熱輻射で冷却する複数の吸熱結露管と、前後方向に細長形状で複数の吸熱結露管の各々に下方から個々に対向していて結露した水滴を収集して排水する複数の排水ドレンと、銀チタンが表面に塗布された樹脂フィルムからなり前記排水ドレンの各々の内部に着脱自在に敷設されている抗菌フィルムと、を有する。
【００１７】
従って、本発明の天井輻射システムでは、複数の吸熱結露管に冷水が流動されて結露することで周囲が熱輻射で冷却される。前後方向に細長形状で複数の吸熱結露管の各々に下方から個々に対向している複数の排水ドレンが結露した水滴を収集して排水する。ただし、このような排水ドレンの各々の内部に抗菌フィルムが敷設されているので、排水ドレンの内部が汚損しにくく、抗菌フィルムを交換するだけで排水ドレンの清掃が完了する。
【００１８】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１９】
さらに、本発明では上下方向以外に前後左右の方向も規定しているが、これは本発明の構成要素の相対関係を簡単に説明するために便宜的に規定したものであり、本発明を実施する場合の製造時や使用時の方向を限定するものではない。
【００２０】
また、本発明で云う前後左右上下の方向とは、完全に幾何学的に直交している必要はなく、相対的に前後左右上下となる方向となっていればよく、例えば、各方向が任意の方向に傾斜していてもよい。
【発明の効果】
【００２１】
本発明の天井輻射システムでは、排水ドレンの各々の内部に銀チタンが表面に塗布された樹脂フィルムからなる抗菌フィルムが着脱自在に敷設されている。このため、排水ドレンの内部の汚損を抑制することができ、抗菌フィルムを交換するだけで排水ドレンの清掃を完了することができる。
【図面の簡単な説明】
【００２２】
【図１】本発明の実施の形態の天井輻射システムの構造を示す模式的な分解斜視図である。
【図２】天井輻射システムの構造を示す模式的な斜視図である。
【図３】天井輻射システムの全体構造を示す模式的な正面図である。
【発明を実施するための形態】
【００２３】
本発明の実施の一形態を図面を参照して以下に説明する。なお、本実施の形態では図示するように上下方向以外に前後左右の方向も規定して説明する。しかし、これは構成要素の相対関係を簡単に説明するために便宜的に規定するものである。従って、本発明を実施する製品の製造時や使用時の方向を限定するものではない。
【００２４】
天井輻射システム１００は、図１ないし図３に示すように、前後方向に細長形状で左右方向に配列されて天井面下に配置される多数の吸熱結露管１１０に少なくとも冷水を流動させて熱輻射により少なくとも冷房を実行する天井輻射システム１００であって、冷水が流動されて結露することで周囲を熱輻射で冷却する複数の吸熱結露管１１０と、前後方向に細長形状で複数の吸熱結露管１１０の各々に下方から個々に対向していて結露した水滴を収集して排水する複数の排水ドレン１２０と、銀チタンが表面に塗布された樹脂フィルムからなり排水ドレン１２０の各々の内部に着脱自在に敷設されている抗菌フィルム１２１と、を有する。
【００２５】
この抗菌フィルム１２１は、例えば、銀チタンが表面に塗布されたＰＰ(polypropylene)の樹脂フィルムからなり、断面形状がＶ状の排水ドレン１２０の内部に着脱自在に敷設されている。
【００２６】
より詳細には、本実施の形態の天井輻射システム１００では、吸熱結露管１１０は、前後方向と直交する断面形状が略円筒形で冷水が流動される流路部分１１１と、流路部分１１１の左右両側から下端および上端で一体となる先細の断面形状に形成されている吸熱羽根部１１２とを、有する。
【００２７】
このような形状の吸熱結露管１１０は、例えば、アルミニウム合金やステンレス合金やニッケル合金の引き抜き材などで形成されており、良好な耐食性と伝熱性と反射性とを実現している。
【００２８】
そして、上述のように吸熱羽根部１１２の一体となっている下端の左右両側にＬ字型の断面形状のドレン支持金具１２３が装着されており、このドレン支持金具１２３で排水ドレン１２０が懸架されている。
【００２９】
吸熱結露管１１０の吸熱羽根部１１２とドレン支持金具１２３とはボルトナット１２８で連結されており、ドレン支持金具１２３と排水ドレン１２０とはワンタッチ金具１２４で連結されている。
【００３０】
そして、ドレン支持金具１２３の鉛直部分の外面から水平部分に円弧状に傾斜した断面形状に形成されているドレンカバー１２５が、排水ドレン１２０の上面を遮蔽している。
【００３１】
ドレンカバー１２５は、左右両端に結露した水滴を排水ドレン１２０に排水する排水穴部１２６が形成されており、このドレンカバー１２５の排水穴部１２６にメッシュ構造の防虫部材１２７が装着されている。
【００３２】
上述のような構成において、本実施の形態の天井輻射システム１００は、前後方向に細長形状で左右方向に配列されて天井面下に配置される多数の吸熱結露管１１０に少なくとも冷水を流動させて熱輻射により少なくとも冷房を実行する。
【００３３】
より詳細には、本発明の天井輻射システム１００では、複数の吸熱結露管１１０に冷水が流動されて結露することで周囲が熱輻射で冷却される。前後方向に細長形状で複数の吸熱結露管１１０の各々に下方から個々に対向している複数の排水ドレン１２０が結露した水滴を収集して排水する。
【００３４】
ただし、このような排水ドレン１２０の各々の内部に抗菌フィルム１２１が敷設されているので、排水ドレン１２０の内部が汚損しにくく、抗菌フィルム１２１を交換するだけで排水ドレン１２０の清掃が完了する。
【００３５】
この抗菌フィルム１２１は、銀チタンが表面に塗布された樹脂フィルムからなるので、水滴に混入した塵芥などの汚損が付着しにくく、カビなども発生しにくい。このような抗菌フィルム１２１は、例えば、二年に一度ほど交換するだけでよい。
【００３６】
また、吸熱結露管１１０は、前後方向と直交する断面形状が略円筒形で冷水が流動される流路部分１１１と、この流路部分１１１の左右両側から下端で一体となる先細の断面形状に形成されている吸熱羽根部１１２とを有する。このため、吸熱結露管１１０の吸熱性が良好であり、輻射冷房の性能が向上している。
【００３７】
このような吸熱羽根部１１２の一体となっている下端の左右両側にＬ字型の断面形状のドレン支持金具１２３が装着されており、このドレン支持金具１２３で排水ドレン１２０が懸架されている。このため、簡単な構造で確実に吸熱結露管１１０の下方に排水ドレン１２０を配置することができる。
【００３８】
さらに、上述のようなドレン支持金具１２３の鉛直部分の外面から水平部分に円弧状に傾斜した断面形状のドレンカバー１２５で排水ドレン１２０の上面が遮蔽されている。このため、空中を浮遊する塵芥が排水ドレン１２０に侵入することも防止されており、さらに排水ドレン１２０の汚損が防止されている。
【００３９】
それでいて、このドレンカバー１２５の左右の下端に排水穴部１２６が形成されているので、結露した水滴は良好に排水ドレン１２０に排出される。それでいて、このドレンカバー１２５の排水穴部１２６にはメッシュ構造の防虫部材１２７が装着されているので、昆虫などが排水ドレン１２０に侵入することも防止されている。
【００４０】
さらに、本実施の形態の天井輻射システム１００では、図３に示すように、複数の吸熱結露管１１０が、Ｌ字型のドレン支持金具１２３で天井面に装着されている。このドレン支持金具１２３は、吸熱結露管１１０に排水ドレン１２０を懸架するドレン支持金具１２３と兼用することができるので、部品点数を削減して生産性を向上させることができる。
【００４１】
なお、本発明は本実施の形態に限定されるものではなく、その要旨を逸脱しない範囲で各種の変形を許容する。例えば、上記形態では吸熱結露管１１０は、前後方向と直交する断面形状が略円筒形で冷水が流動される流路部分１１１と、この流路部分１１１の左右両側から下端で一体となる先細の断面形状に形成されている吸熱羽根部１１２とを有し、この吸熱羽根部１１２の一体となっている下端に断面形状がＬ字型のドレン支持金具１２３で排水ドレン１２０が懸架されていることを例示した。
【００４２】
しかし、上述のような吸熱結露管は各種形状に形成することができ、例えば、上下方向に多数の流路が形成されている多孔管なども利用することができる。また、吸熱結露管を単純な円筒形とし、これに専用のドレン支持金具で排水ドレンを懸架してもよい(ともに図示せず)。
【００４３】
また、上記形態では吸熱結露管１１０に冷水を流動させて室内を冷房することを例示した。しかし、このような吸熱結露管１１０に温水を流動させて室内を暖房することもできる。
【００４４】
さらに、上記形態では複数の吸熱結露管１１０を天井面に装着するドレン支持金具１２３と吸熱結露管１１０に排水ドレン１２０を懸架するドレン支持金具１２３とを兼用することを例示した。しかし、これらを別個の部品としてもよい。
【符号の説明】
【００４５】
１００    天井輻射システム
１１０    吸熱結露管
１１１    流路部分
１１２    吸熱羽根部
１２０    排水ドレン
１２１    抗菌フィルム
１２３    ドレン支持金具
１２４    ワンタッチ金具
１２５    ドレンカバー
１２６    排水穴部
１２７    防虫部材
１２８    ボルトナット
【図１】
2012072977.tif 000003
【図２】
2012072977.tif 000004
【図３】
2012072977.tif 000005